(57)【要約】【課題】  互いに近接する複数の配線の間に閉回路が形成される場合においても、この閉回路を流れるループ電流によって生じる磁界による影響を有効に回避することができ、ひいては適正かつ効率的な機器の駆動を実現することのできる配線板の配線構造およびこれを備えた配線板を提供する。【解決手段】  複数の配線２の配線板１の厚み方向に直交する互いに異なる導体層に形成された部位を絶縁基板３を挟んで互いに交差させるとともに、前記各部位の配設位置を前記配線板１に配設された複数のスルーホール４を介して交互に反転させることによって撚り線状に形成する。【選択図】      図１
2005109022.tif 000002
【特許請求の範囲】
【請求項１】
複数の配線が形成されている複数の導体層と絶縁基板と導体層同士を接続させる複数のスルーホールとにより構成されている配線板の配線構造において、
前記複数の配線は、配線板の厚み方向に直交する互いに異なる導体層に形成された部位が絶縁基板を挟んで互いに交差されているとともに、前記各部位の配設位置が前記複数のスルーホールを介して交互に反転されることによって撚り線状に形成されていることを特徴とする配線板の配線構造。
【請求項２】
複数の配線が形成されている複数の導体層と絶縁基板と導体層同士を接続させる複数のスルーホールとにより構成されている配線板において、
前記複数の配線は、配線板の厚み方向に直交する互いに異なる導体層に形成された部位が絶縁基板を挟んで互いに交差されているとともに、前記各部位の配設位置が前記複数のスルーホールを介して交互に反転されることによって撚り線状に形成されていることを特徴とする配線板。
【請求項３】
可撓性を有している請求項２に記載の配線板。
【発明の詳細な説明】
【技術分野】
【０００１】
本発明は、配線板の配線構造およびこれを備えた配線板に係り、特に、複数の導体層と絶縁層とスルーホールにより構成されている配線板の配線構造およびこれを備えた配線板に関する。
【背景技術】
【０００２】
従来から、液晶表示装置等の電子機器においては、機器に対する駆動信号の入力等を目的として電源と機器とを互いに導通させる配線を備えた配線板が採用されている。
【０００３】
このような配線板の一例として、液晶表示装置に用いられる可撓配線板は、可撓性の絶縁基板の表面に、導体層である複数の配線が所定の間隔を設けて互いに平行になるように配設されていた。
【０００４】
【特許文献１】特開２００２−１６４６２６号公報
【発明の開示】
【発明が解決しようとする課題】
【０００５】
ところで、従来は、複数の配線が互いに平行に配設されていたために、例えば、１個の配線と、これに近接する他の配線との間に電源側と負荷（液晶表示装置）側とを結ぶ閉回路が形成される場合、この閉回路を流れる電流（以下、「ループ電流」と称する）によって閉回路の内側に磁界が生じ、この磁界が閉回路に作用することによって誘導起電力に基づく誘導電流を誘起してしまうことがあった。
【０００６】
そして、この誘導電流は、配線を流れる本来の電流に対してノイズとして作用し、また、電力損失を招く原因となるため、機器の適正かつ効率的な駆動を妨げてしまうといった問題が生じていた。例えば、液晶表示装置であれば、誤動作や表示特性の低下等の問題を生じさせていた。
【０００７】
そこで、本発明は、このような問題点に鑑みなされたものであり、互いに近接する複数の配線の間に閉回路が形成される場合においても、この閉回路を流れるループ電流によって生じる磁界による影響を有効に回避することができ、ひいては適正かつ効率的な機器の駆動を実現することのできる配線板の配線構造およびこれを備えた配線板を提供することを目的とするものである。
【課題を解決するための手段】
【０００８】
前述した目的を達成するため、本発明の請求項１に係る配線板の配線構造の特徴は、複数の配線が形成されている複数の導体層と絶縁基板と導体層同士を接続させる複数のスルーホールとにより構成されている配線板の配線構造において、前記複数の配線は、配線板の厚み方向に直交する互いに異なる導体層に形成された部位が絶縁基板を挟んで互いに交差されているとともに、前記各部位の配設位置が前記複数のスルーホールを介して交互に反転されることによって撚り線状に形成されている点にある。
【０００９】
そして、このような構成によれば、複数の配線を撚り線状に形成することによって、互いに近接する複数の配線の間に閉回路が形成される場合においても、この閉回路を流れるループ電流によって生じる磁界を相殺することが可能となる。
【００１０】
請求項２に係る配線板の特徴は、複数の配線が形成されている複数の導体層と絶縁基板と導体層同士を接続させる複数のスルーホールとにより構成されている配線板において、前記複数の配線は、配線板の厚み方向に直交する互いに異なる導体層に形成された部位が絶縁基板を挟んで互いに交差されているとともに、前記各部位の配設位置が前記複数のスルーホールを介して交互に反転されることによって撚り線状に形成されている点にある。
【００１１】
そして、このような構成によれば、複数の配線を撚り線状に形成することによって、互いに近接する複数の配線の間に閉回路が形成される場合においても、この閉回路を流れるループ電流によって生じる磁界を相殺することが可能な配線板とすることができる。
【００１２】
請求項３に係る配線板の特徴は、請求項２において、可撓性を有している点にある。
【００１３】
そして、このような構成によれば、可撓配線板の互いに近接する複数の配線の間に閉回路が形成される場合においても、この閉回路を流れるループ電流によって生じる磁界を相殺することが可能となる。
【発明の効果】
【００１４】
本発明の請求項１に係る配線板の配線構造によれば、互いに近接する複数の配線の間に閉回路が形成される場合においても、この閉回路を流れるループ電流によって生じる磁界による影響を有効に回避することができ、ひいては電子機器を適正に駆動することができる配線構造を実現することができる。
【００１５】
請求項２に係る配線板によれば、互いに近接する複数の配線の間に閉回路が形成される場合においても、この閉回路を流れるループ電流によって生じる磁界による影響を有効に回避することができ、ひいては電子機器を適正に駆動することができる配線板を実現することができる。
【００１６】
請求項３に係る配線板によれば、設計の自由度の高い配線板を実現することができる。
【発明を実施するための最良の形態】
【００１７】
以下、本発明に係る配線板の配線構造およびこれを備えた配線板の実施形態について、図１乃至図３を参照して説明する。
【００１８】
図１乃至図３は、本発明に係る配線板の配線構造の一例として、電子機器の一例としての液晶表示装置（図４参照）に搭載される可撓配線板１の配線構造を示したものである。
【００１９】
前記可撓配線板１は、樹脂材料等からなる可撓性の絶縁基板３を有しており、この絶縁基板３には、複数（図１において二本）の配線２が互いに近接するように配設されている。本実施形態においては、前記複数の配線２のうち少なくとも１本の配線は、他の配線と電流の流れる方向が逆方向となっている。例えば、１本の配線をグランドラインとし、他の配線を液晶駆動信号を入力する電源ラインとしてもよい。また、１本の配線をＬＥＤのカソードに接続されるラインとし、他の配線をＬＥＤのアノードに接続されるラインとしてもよい。
【００２０】
そして、本実施形態において、前記複数の配線２は、絶縁基板３の厚み方向に直交する互いに異なる導体層（図１においては、絶縁基板３の表側の表面３ａおよび裏側の表面３ｂ）に形成された部位（線素）が、絶縁基板３を挟んで互いに交差するようにされている。さらに、各配線２の前記各部位の配設位置が、前記絶縁基板３に配設された複数のスルーホール４を介して交互に反転するようにされている。
【００２１】
これによって、前記複数の配線２が、互いに非接触状態とされた撚り線状に形成されている。
【００２２】
なお、前記スルーホール４内には、図３に示すように、スルーホール４に内接する環状のコンタクト部材５が設けられ、このコンタクト部材５によって、互いに異なる導体層に形成された配線２の線素同士が互いに導通されている。
【００２３】
また、各スルーホール４の形成間隔（図２において上下方向および左右方向の間隔）は、磁界を有効に相殺するとともに、無理のない設計を行う観点から、好ましくは１ｍｍ程度とされている。
【００２４】
このように、前記複数の配線２を撚り線状に形成することによって、互いに近接する複数の配線２の間に閉回路が形成される場合においても、この閉回路を流れるループ電流によって生じる磁界を相殺することができるようになっている。
【００２５】
また、図示はしないが、前記配線２の厚み方向の外側には、配線２を保護するためのレジスト膜等からなるカバーフィルムが形成されるようになっている。
【００２６】
次に、本実施形態の作用について説明する。
【００２７】
前記のように形成された可撓配線板１は、図４に示すように、シール６を介して貼り合わされた表示電極１２を備えた二枚の基板７，８の間に液晶９が封入され、表示電極１２のリード端子１２ａが延出された端子部８ａに液晶駆動用ＩＣ１３が搭載された液晶表示装置１０に電気的に接続されるようになっている。なお、前記可撓配線板１の反液晶表示装置側は、図示しない外部回路や電源に接続されている。
【００２８】
そして、前記可撓配線板１を介して液晶表示装置１０を駆動する場合は、電源側から前記可撓配線板１の配線２（電源ライン）を介して液晶駆動用ＩＣ１３に液晶９を駆動するための信号を入力する。
【００２９】
このとき、前記配線２に近接する他の配線（グランドライン）との間に閉回路が形成されて、この閉回路にループ電流が流れる場合、従来は、ループ電流によって生じた磁界によって誘起された誘導電流によって、液晶表示装置を適正かつ効率的に駆動することができなかった。
【００３０】
しかし、本実施形態においては、前記各配線が撚り線状に形成されていることによって、磁界を相殺することができる。
【００３１】
これにより、ノイズや電力損失等の磁界による影響を有効に回避することができ、駆動用ＩＣ１３によって表示電極１２間の液晶９に対して所定のしきい値以上の液晶駆動電圧を適正に印加することができる。
【００３２】
従って、本実施形態によれば、液晶表示装置１０を誤動作や表示特性の低下を生じさせずに適正に駆動することができ、また、電力損失を低減して効率的な駆動を行うことができる。
【００３３】
なお、本発明は、前述した実施の形態に限定されるものではなく、必要に応じて種々の変更が可能である。
【００３４】
例えば、前記実施形態においては、配線板の一例として可撓配線板を挙げているが、これに限らず、本発明は、ハード（可撓性のない）配線板にも有効に適用することができるものである。
【００３５】
また、前記実施形態においては、電子機器の一例として液晶表示装置を挙げているが、これに限らず、本発明は、液晶表示装置以外の電子機器に用いる配線板にも有効に適用することができるものである。
【００３６】
さらに、前記実施形態においては、一枚の絶縁基板の厚み方向の両表面に導体層の配線が形成された３層構造の配線構造を示しているが、これに限らず、本発明は、４層以上の配線構造にも有効に適用することができるものである。
【図面の簡単な説明】
【００３７】
【図１】本発明に係る配線板の配線構造およびこれを備えた配線板の実施形態を模式的に示す斜視図
【図２】図１の平面図
【図３】本発明に係る配線板の配線構造およびこれを備えた配線板の実施形態において、配線の互いに異なる導体層に形成された部位同士のコンタクト部材を介した導通状態を模式的に示す断面図
【図４】本発明に係る配線板の一例としての可撓配線板を搭載した液晶表示装置を模式的に示す概略横断面図
【符号の説明】
【００３８】
１  可撓配線板
２  配線
３  絶縁基板
５  コンタクト部材
３ａ  絶縁基板の表側の表面
３ｂ  絶縁基板の裏側の表面
４  スルーホール
【図１】
2005109022.tif 000003
【図２】
2005109022.tif 000004
【図３】
2005109022.tif 000005
【図４】
2005109022.tif 000006